(57)【特許請求の範囲】
【請求項１】
牽引手段を備えた作業機フレームに、下端部にチゼルをもつビームを取付けて構成したサブソイラ作業機において、
前記ビームにその刃縁に沿ってビームプロテクタを冠して取付け、このビームプロテクタはその略中央部の折曲部を中心として上下方向へ互いに他方のエッジ部の延長線に対してそれぞれ所定の角度のエッジ部を有する掘削刃を形成してあって、前記折曲部を中心として上下反転しても前記ビームの刃縁に沿って着脱自在に取付可能であることを特徴とするサブソイラ作業機。
【請求項２】
ビームプロテクタは前記ビームの左右両側を挟むようにして着脱自在になっている請求項１記載のサブソイラ作業機。
【発明の詳細な説明】
【０００１】
【発明の属する技術分野】
本発明は農耕作業に用いるサブソイラ作業機に関し、さらに詳しくは、作土層又は心土層を掘削するビームに形成された刃縁の摩耗を防止するビームプロテクタを備えたサブソイラ作業機に関する。
【０００２】
【従来の技術】
従来知られているサブソイラ作業機は、トラクター等にて牽引する作業機フレームに１本ないし数本のナイフ型のビームを直交して取付けて構成したもので、ビームには作業進行方向に向けて心土破砕に適した刃縁（断面形状が三角状のエッジ部）が形成されている。
【０００３】
【発明が解決しようとする課題】
上述のようなサブソイラ作業機におけるビームは、圃場における作土層以下の部分に対して、例えば、心土層に対してこれを破砕し、作土層におけるの余剰雨水を迅速に浸透させ、さらには排水を促進させるための圃場環境の一種の保守作業機として用いられている。もちろん圃場の土壌環境の改善にも用いられているものである。
【０００４】
この作業機においては圃場の土壌に対して直接作業を行うのはビームであって、そのビームは作業進行により掘削土壌に直接当たる部分の摩耗が著しい。したがって、ビームの摩耗は刃縁が元来の曲線縁より内側に湾曲を描いて摩耗し、ビームとしての機能を果たし得なくなる。しかし、ビームの刃縁が摩耗するのみで、ビーム本体は強度的にもいまだ十分なものを保持しているのである。
【０００５】
しかし、掘削機能が失われればビームを交換するしか回復の手だてはなく、そのために取り替えられたビームは余儀なく破棄される。また、サブソイラ作業機においてビームの土の切れ味が衰えた場合、あるいは刃縁の厚みが厚い状態では、掘削した土壌が圃場表面まで押し上げられ、均平を善しとする水田圃場においては後の作業に支障を生じる。
【０００６】
そこで、本発明はサブソイラ作業機におけるビームの刃縁の切れ味の良否による土壌の押上を防止するとともに、その耐用寿命を可能な限り長いものにして、ビームそのものの長寿化を図り、しかも本来の機能である掘削作業を確実に行うことができるサブソイラ作業機を提供しようとするものである。
【０００７】
【課題を解決するための手段】
上述の目的を達成するために、本発明は、牽引手段を備えた作業機フレームに、下端部にチゼルをもつビームを取付けて構成したサブソイラ作業機において、前記ビームにその刃縁に沿ってビームプロテクタを冠して取付け、このビームプロテクタはその略中央部の折曲部を中心として上下方向へ互いに他方のエッジ部の延長線に対してそれぞれ所定の角度のエッジ部を有する掘削刃を形成してあって、前記折曲部を中心として上下反転しても前記ビームの刃縁に沿って着脱自在に取付可能であることを特徴とするもので、これにより、作業中の掘削抵抗はビームに直接加わらず、ビームプロテクタに対して加わり、ビーム自体の摩耗を防止してその寿命を延ばすのは勿論、ビームプロテクタ自体の掘削刃が摩耗して作業に支障が生じたときは、このビームプロテクタを天地反転してビームに取付けて再使用することにより、ビームの摩耗を防止してサブソイラ作業機の寿命を延ばすことが可能になる。
【０００８】
また、ビームプロテクタはビームに対してその両側を挟むようにして着脱自在となし、さらに、ビームプロテクタは折曲部を中心とする上下方向の掘削刃の傾き角度を同じとすることにより、天地返しするビームプロテクタの構造を上下対称構造とすることが出来て製造容易であり、また、その天地返しする交換作業を極めて容易に行い得て、これによりビームプロテクタの寿命を少なくとも２倍に延長出来る。
【０００９】
さらに、ビームプロテクタは折曲部を中心とする上下方向の傾き角度を異ならしめることにより、天地返ししてビームに取り付けると、作土層や心土層に対する抵抗を選択できて、掘削した土壌を圃場表面に押し上げる量を選択できるため、土壌改良効果が向上する。
【００１０】
【発明の実施の形態】
以下、本発明の実施の形態について図１ないし図９に基づき説明をする。これらの図において、符号１０はサブソイラ作業機全体を示しており、作業進行方向と直交方向に所定長さで延びるその作業機フレーム１１には、等間隔配置で複数のビーム２０が取り付けられている。ビーム２０は作業進行方向側へ湾曲して刃縁２１Ａが形成されており、その下端部にはチゼル２４と、その後方に延びるアーム２５Ａと、これに取り付けられたウィング２５、さらには、作業機の不使用時に用いるスタンド２６が取り付けられている。
【００１１】
作業機フレーム１１は角型のパイプ状部材からなり、その断面対角線は垂直方向に向けられ、全体としては水平状態で配置されている。この作業機フレーム１１の両端部と中央位置とに、それぞれビームホルダ１２を介してビーム２０が取り付けられている。このビームホルダ１２は前後部のホルダ１２Ａ，１２Ｂの対からなり、作業機フレーム１１を前後方向から挟着してボルト１３により締結する構成である。さらに、この作業機フレーム１１には補強板３７を介してアームプレート３６が対で作業進行方向側へ突出して形成され、そのアームプレート３６に管３５を介して回動可能に連結杆３８の端部３８Ａを軸着してある。連結杆３８は後述するマスト３１と共にトラクター等の牽引機に連結される。
【００１２】
前記ホルダ１２のうち後部ホルダ１２Ｂは、作業機フレーム１１の後方に延びるフランジ１２Ｘ又は１２Ｙをもち、このフランジ１２Ｘ，１２Ｙ，１２Ｘにそれぞれビーム２０の上端部が固定されている。フランジ１２Ｘ，１２Ｙはビーム２０の上端部を挟んでビーム２０の上端部に穿設したボルト孔２２に挿通するボルト１４をナット２１Ｘで締結するために、それぞれ２枚の板体で形成されている。また、前記ホルダ１２のうち、中央部に位置するホルダ１２の後部ホルダ１２Ｂは、前記フランジ１２Ｘよりさらに長く後方に延びており、側面視上そのビーム２Ｏは作業機フレーム１１の両端部に配置された他のビーム２Ｏよりも後方に位置する状態になっている。
【００１３】
前記作業機フレーム１１の中央部には、トラクター等のアッパリンクを取り付けるための牽引機連結部３０としてマスト３１が立設されており、このマスト３１は一対の板体３１Ａ，３１Ａにより形成されていて、それらの頂部３１Ｂ，３１Ｂにピン３３で枢着されたヒッチ部３４を備えている。このヒッチ部３４は２枚一対の板体からなり、ヒッチ部３４の端部にはヒッチ孔３２が両板体を結ぶ管体にて形成されており、ピン３３による枢着点と、ヒッチ孔３２との中間位置には作業機の姿勢を変更するためのピン孔３２Ａが穿設されている。このピン孔３２Ａと合致するピン孔３２Ｘ，３２Ｙがマスト３１の頂部３１Ｂに穿設されている。
【００１４】
前記ピン孔３２Ｘ，３２Ｙの何れかを選択することで、ヒッチ部３４の姿勢を選ぶことができる。例えば、ピン孔３２Ｘを選択してピンをピン孔３２Ａに通した場合には、作業姿勢であり、ピン孔３２Ｙを選択した場合には、作業機全体をリフトした姿勢において最後尾のリフト高さをより高くすることができ、作業機を装着して路上走行、あるいは、畦越え移動の際に作業機の最後尾が畦や路面と干渉することを防ぐことができる。
【００１５】
そして、前記ビーム２０にはその湾曲した刃縁２１Ａに冠してビームプロテクタ４０が装着され、ビーム２０に形成してある刃縁２１Ａの保護を図っている。即ち、ビームプロテクタ４０はその装着姿勢は図３，図４により明らかであって、その詳細は図５以下において示されている。即ち、このビームプロテクタ４０はビーム２０の湾曲した刃縁２１Ａに沿う曲線を描いた板状のプロテクタ本体４１をもち、このプロテクタ本体４１には取付フランジ部４２が刃縁に沿った形状で形成されており、３か所にボルト孔４２が穿設されている。このボルト孔４２は、図５に示すように皿孔４２Ｘになっていてボルトの頭がプロテクタ本体４１の幅内に収まるようになっている。
【００１６】
そして、前記プロテクタ本体４１には作業進行方向前縁に沿って側面視略「く」型の掘削刃４３Ｙ，４３Ｚが形成されていて、折曲点４３Ｘを中心として上下方向へ対称のエッジ部４３Ａ，４３Ｂが配置されている。この折曲点４３Ｘが全体の長さ方向の中心位置になっており、上下天地返しした場合であってもプロテクタ本体４１の姿勢形状には変化が生じないように取付けることができる。この掘削刃４３Ｙ，４３Ｚは互いに他方のエッジ部４３Ａ，４３Ｂの延長線に対してｌ５゜〜２０゜の傾きをもっていて、掘削作業中は下側に位置する掘削刃のみが掘削作業を行うようになっている。
【００１７】
また、図１０に示すように、ビームプロテクタ４０は、折曲点４３Ｘを中心とする上部のエッジ部４３Ａの延長線に対する下部のエッジ部４３Ｂの角度θ1 を、下部のエッジ部４３Ｂの延長線に対する上部のエッジ部４３Ａの角度θ2 よりも大きいか小さくして、掘削層に対する抵抗の度合いの変化をもたらすことができる。これによると、角度が大きい場合の使用では土との抵抗が大きくなってビーム２０は作土層や心土層へ深くもぐりこみ、また、掘削した土壌が圃場表面に押し上げられるのを防止し、この逆に、角度が小さい場合の使用では土との抵抗が小さくなるので、ビーム２０は作土層や心土層へ比較的浅くもぐりこむので、土壌改良効果を異にする。
【００１８】
以上の説明では、取付フランジ部４２が連続した形式のものを示したが、図８，図９に示すように、その取付フランジ部４２のボルト孔４２Ｘを備えた３個の脚部４２Ａを形成したものとしてもよい。また、ビーム２０に刃縁２１Ａを形成したものを説明として挙げたが、この刃縁２１Ａは省略することができる。すなわち、ビームプロテクタ４０の掘削刃４３Ｙ，４３Ｚが掘削に従事して刃縁２１Ａはなんら掘削に従事するものではないからである。
【００１９】
次に、本発明にかかるサブソイラ作業機におけるビームプロテクタの機能について説明する。先ず、このビームプロテクタ４０はビーム２０の刃縁２１Ａに沿って冠して取り付けられるもので、ボルト孔４２Ｘがビーム２０に穿設されている孔に重ねられてボルトによりビーム２０と一体化される。
【００２０】
したがって、サブソイラ作業機による掘削作業においては、ビームプロテクタ４０の掘削刃４３Ｙが掘削作業を行い、作業の進行により刃縁４３Ｙが摩耗した場合には、ボルトによるビーム２０との結合関係を解除し、ビームプロテクタ４０を取り外す。
【００２１】
そして、ビームプロテクタ４０を天地返しして、掘削刃４３Ｚを下側に、掘削刃４３Ｙを上側、即ち、掘削作業に直接寄与しない位置に移動させ、それまで掘削作業を担っていなかった掘削刃４３Ｚを掘削作業を担う位置に変更させる。
【００２２】
これにより、再度サブソイラとしての掘削作業を続行することができる。したがって、掘削刃４３Ｙと掘削刃４３Ｚとを用いて少なくとも２倍の耐用性をもって作業をすることができる。そして、掘削刃４３Ｙと掘削刃４３Ｚとの前記角度を異ならしめたビームプロテクタ４０では、作業時に土との抵抗を異にして押し上げるのを浅く、又は、深くすることができるから、掘削した土壌を圃場表面まで押し上げるのを防止できるため、土壌改良効果が向上する。。
【００２３】
【発明の効果】
以上の説明から明らかなように、本発明のサブソイラ作業機によれば、ビームに対してビームプロテクタを着脱可能に取付け、そのビームプロテクタの掘削刃は折曲部を中心として上下方向へ互いに他方のエッジ部の延長線に対してそれぞれ所定の角度で形成され、ビームに対して天地返しして取付けて上下逆様にして使用することができるように構成したから、ビームプロテクタの耐用寿命が少なくとも２倍になる効果がある。
【００２４】
しかも、ビームプロテクタの早期の上下天地返し使用又は交換により、切れ味が常に優れている状態を保持できるので、圃場表面に掘削土を押し上げることがなく、水田作業に支障を来すことがない。
【００２５】
さらには、ビームの掘削刃にはその折曲部を中心として上下方向の前記角度を互いに異にすると、天地返しをして使用した場合には、作土層や心土層に対する抵抗の変化を形成できて、掘削した土壌を圃場表面まで押し上げるのを防止できるため、土壌改良効果が向上する。
【図面の簡単な説明】
【図１】  本発明によるサブソイラ作業機の正面図である。
【図２】  本発明によるサブソイラ作業機の平面図である。
【図３】  本発明によるサブソイラ作業機の側面図である。
【図４】  本発明によるサブソイラ作業機のビームの側面図である。
【図５】  本発明によるサブソイラ作業機のビームプロテクタの側面図である。
【図６】  本発明によるサブソイラ作業機のビームプロテクタの正面図である。
【図７】  本発明によるサブソイラ作業機のビームプロテクタの平面図である。
【図８】  本発明によるサブソイラ作業機の他のビームプロテクタの側面図である。
【図９】  本発明によるサブソイラ作業機の他のビームプロテクタの平面図でる。
【図１０】  本発明によるサブソイラ作業機のビームプロテクタの側面図である。
【符号の説明】
１０  サブソイラ作業機
１１  作業機フレーム
１２  ビームホルダ
１２Ａ  前部ホルダ
１２Ｂ  後部ホルダ
１２Ｘ，１２Ｙ  フランジ
２０    ビーム
２１  上端部
２１Ａ  刃縁
３０  牽引機連結部
３１  マスト
３１Ａ  板
３１Ｂ  頂部
３２Ｘ，３２Ｙ  ピン孔
３４  ヒッチ部
４０  ビームプロテクタ
４１  プロテクタ本体
４２  フランジ部
４２Ｘ  ボルト孔
４３Ａ，４３Ｂ  エッジ部
４３Ｘ  折曲点
４３Ｙ，４３Ｚ  掘削刃
【図１】
0004653878.tif 000002
【図２】
0004653878.tif 000003
【図３】
0004653878.tif 000004
【図４】
0004653878.tif 000005
【図５】
0004653878.tif 000006
【図６】
0004653878.tif 000007
【図７】
0004653878.tif 000008
【図８】
0004653878.tif 000009
【図９】
0004653878.tif 000010
【図１０】
0004653878.tif 000011